(57)【要約】【課題】ハウジング内の接点部とコネクタプラグの電極との接触位置の精度を維持しつつ、コネクタジャック自体を取り付ける工程における作業性を改善したコネクタジャック、及びその実装構造を提供する。【解決手段】ハウジング１０と、ハウジング１０を保持する枠体２０と、を備え、ハウジング１０が、軸線方向Ｄ１に複数の電極が形成されたコネクタプラグが差し込まれる挿入穴１３ａを有すると共に、枠体２０が、配線基板に固定される取付け部２１ａを有しているコネクタジャック１００であって、ハウジング１０には、複数の電極に対応する複数の接点部１５ｃが設けられていると共に、複数の接点部１５ｃそれぞれに導通した複数の端子部１５ａが設けられており、枠体２０にはハウジング１０を挿入穴１３ａの方向に付勢する弾性部材２３ａが設けられており、枠体２０が、ハウジング１０を軸線方向Ｄ１に移動可能にガイドする。【選択図】図２
2017091896.tif 000002
【特許請求の範囲】
【請求項１】
ハウジングと、前記ハウジングを保持する枠体と、を備え、前記ハウジングが、軸線方向に複数の電極が形成されたコネクタプラグが差し込まれる挿入穴を有すると共に、前記枠体が、配線基板に固定される取付け部を有しているコネクタジャックであって、
前記ハウジングには、複数の前記電極それぞれに対応する複数の接点部が前記軸線方向に設けられていると共に、複数の前記接点部それぞれに導通した複数の端子部が設けられており、複数の前記端子部は、前記ハウジングの外側に露出した接触面を有していて、
前記枠体には前記ハウジングを前記軸線方向であって且つ前記コネクタプラグが挿入される方向に付勢する弾性部材が設けられており、
前記枠体が、前記ハウジングを前記軸線方向に移動可能にガイドする、
ことを特徴とするコネクタジャック。
【請求項２】
前記枠体に前記弾性部材が一体化されている、
ことを特徴とする請求項１に記載のコネクタジャック。
【請求項３】
配線基板と、前記配線基板が取り付けられる下ケースと、ハウジング及び前記ハウジングを保持する枠体を有して、前記配線基板に取り付けられるコネクタジャックと、前記ハウジングの挿入側の前面に配置されたパネルを有した上ケースと、を備え、
前記ハウジングが、軸線方向に複数の電極が形成されたコネクタプラグが差し込まれる挿入穴を有すると共に、前記枠体が、前記配線基板に固定される取付け部を有し、
前記ハウジングには、前記複数の電極それぞれに対応する複数の接点部が前記軸線方向に設けられていると共に、複数の前記接点部に導通してハウジング外に露出した接触面を有する端子部が設けられており、
前記配線基板には、複数の前記接触面それぞれに摺動する複数の接点部材が実装されていて、
前記枠体には前記ハウジングを前記挿入穴の方向に付勢する弾性部材が設けられており、前記枠体が前記ハウジングを前記軸線方向に移動可能にガイドし、
前記パネルの内面に前記コネクタジャックの前面壁部が弾接すると共に、前記パネルの外面には前記コネクタプラグのストッパー面が接する、  
ことを特徴とするコネクタジャック実装構造。
【請求項４】
前記接点部材は、前記配線基板の面に対して垂直方向に撓むように構成されている、
ことを特徴とする請求項３に記載のコネクタジャック実装構造。
【請求項５】
前記枠体に前記弾性部材が一体化されている、
ことを特徴とする請求項３又請求項４に記載のコネクタジャック実装構造。
【請求項６】
前記ハウジングは、複数の前記接点部を設けた下側ハウジングと、前記下側ハウジングを覆い内部に前記コネクタプラグを収納する収納部を前記下側ハウジングと共に構成する上側ハウジングと、を有し、前記前面壁部を前記下側ハウジングに設けた、
ことを特徴とする請求項３に記載のコネクタジャック実装構造。
【発明の詳細な説明】
【技術分野】
【０００１】
本発明は、小型化されたコネクタジャック及びそのコネクタジャックを取り付けた実装構造に関する。
【背景技術】
【０００２】
従来から、スマートフォン等の携帯機器では、複数の電極が形成されたコネクタプラグが差し込まれるコネクタジャックが備えられている。このようなコネクタジャックでは小型化が求められる。このような従来のコネクタジャックとして、下記の特許文献１に記載の防水型コネクタ９００が知られている。図１３を用いて防水型コネクタ９００について説明する。
【０００３】
防水型コネクタ９００は、下側ハウジング９１１と、上側ハウジング９１２と、キャップ９２０と、端子部材９１３と、を備えている。下側ハウジング９１１は光吸収材料からなると共に、上側ハウジング９１２は光透過材料からなり、下側ハウジング９１１と上側ハウジング９１２とをレーザ接合したレーザ溶着部（ハウジング溶着部９３１及びフランジ溶着部９３２）が形成され、下側ハウジング９１１は側方開口部９１０ｂの周囲に下側フランジ部９１１ｃを備え、上側ハウジング９１２は側方に上側フランジ部９１２ｃを備えている。
【０００４】
また、キャップ９２０は、下側フランジ部９１１ｃ及び上側フランジ部９１２ｃにより構成されるハウジング側フランジ部９１０ｃに対向する位置に、キャップ側フランジ部９２０ｃを備え、ハウジング側フランジ部９１０ｃとキャップ側フランジ部９２０ｃとを超音波接合した超音波溶着部９３３が形成されている。
【０００５】
このような構成によって、小型化を図ると共に、確実な接合が行われた防水型コネクタ９００を提供することができる。
【先行技術文献】
【特許文献】
【０００６】
【特許文献１】特開２０１５−００８１１８号公報
【発明の概要】
【発明が解決しようとする課題】
【０００７】
防水型コネクタ９００のようなコネクタジャックには、多くの電極、例えば軸線方向に５極の電極を有するコネクタプラグが差し込まれることがある。このような多くの電極を有するコネクタプラグにおいては、例えば３極等の電極の数が少ないコネクタプラグに比べて互いの電極間の距離が小さくなる。そのため、コネクタジャックのハウジング内の接点部とコネクタプラグの電極との接触位置の精度が必要となる。
【０００８】
この接触位置の精度を保つために、従来のコネクタジャックは、そのコネクタジャックが取り付けられる携帯機器等のセット製品において、セット製品内に設置された配線基板上に取り付けられるのではなく、セット製品を形成している筐体であるケースに直接取り付けられていた。即ち、コネクタプラグ挿入時の位置を決めるストッパーがセット製品のケースに設けている為、コネクタプラグ及びコネクタジャックの取り付け位置の基準をいずれもセット製品のケースとすることで両者の接触位置の精度を保っていた。
【０００９】
しかしながら、従来のコネクタジャックは、配線基板上に取り付けられていないので、コネクタジャック自体と配線基板との間の電気的な接続のためにフレキシブル基板等の接続ケーブルを用いる必要があった。また、コネクタジャックをセット製品に取り付ける際に、ブラケットを用いて固定するか、又はコネクタジャックをネジ止めしたりする必要があった。そのため、コネクタジャックを取り付ける工程において、非常に作業性が悪いという問題があった。
【００１０】
本発明はこのような従来技術の実情に鑑みてなされたもので、コネクタジャックのハウジング内の接点部とコネクタプラグの電極との接触位置の精度を維持しつつ、コネクタジャック自体を取り付ける工程における作業性を改善したコネクタジャック、及びその実装構造を提供することを目的とする。
【課題を解決するための手段】
【００１１】
上記課題を解決するために本発明のコネクタジャックは、ハウジングと、前記ハウジングを保持する枠体と、を備え、前記ハウジングが、軸線方向に複数の電極が形成されたコネクタプラグが差し込まれる挿入穴を有すると共に、前記枠体が、配線基板に固定される取付け部を有しているコネクタジャックであって、前記ハウジングには、複数の前記電極それぞれに対応する複数の接点部が前記軸線方向に設けられていると共に、複数の前記接点部それぞれに導通した複数の端子部が設けられており、複数の前記端子部は、前記ハウジングの外側に露出した接触面を有していて、前記枠体には前記ハウジングを前記軸線方向であって且つ前記コネクタプラグが挿入される方向に付勢する弾性部材が設けられており、前記枠体が、前記ハウジングを前記軸線方向に移動可能にガイドするという特徴を有する。
【００１２】
このように構成されたコネクタジャックは、弾性部材によってハウジングが軸線方向に移動可能にガイドされるので、ハウジングの先端（前面壁部）をセット製品のパネルの内面に弾接させることができる。そのため、コネクタプラグが挿入された際に、ハウジング内の接点部とコネクタプラグの電極との接触位置の精度を維持することが可能となる。また、配線基板との間の接続ケーブルが必要ないため、コネクタジャック自体の取付け工程における作業性を改善することができる。
【００１３】
また、上記の構成において、前記枠体に前記弾性部材が一体化されている、という特徴を有する。
【００１４】
このように構成されたコネクタジャックは、ハウジングを精度良くガイドすることができる。
【００１５】
また、上記課題を解決するために本発明のコネクタジャック実装構造は、配線基板と、前記配線基板が取り付けられる下ケースと、ハウジング及び前記ハウジングを保持する枠体を有して、前記配線基板に取り付けられるコネクタジャックと、前記ハウジングの挿入側の前面に配置されたパネルを有した上ケースと、を備え、前記ハウジングが、軸線方向に複数の電極が形成されたコネクタプラグが差し込まれる挿入穴を有すると共に、前記枠体が、前記配線基板に固定される取付け部を有し、前記ハウジングには、前記複数の電極それぞれに対応する複数の接点部が前記軸線方向に設けられていると共に、複数の前記接点部に導通してハウジング外に露出した接触面を有する端子部が設けられており、前記配線基板には、複数の前記接触面それぞれに摺動する複数の接点部材が実装されていて、前記枠体には前記ハウジングを前記挿入穴の方向に付勢する弾性部材が設けられており、前記枠体が前記ハウジングを前記軸線方向に移動可能にガイドし、前記パネルの内面に前記コネクタジャックの前面壁部が弾接すると共に、前記パネルの外面には前記コネクタプラグのストッパー面が接する、という特徴を有する。
【００１６】
このように構成されたコネクタジャック実装構造は、弾性部材によってハウジングが軸線方向に移動可能にガイドされるので、ハウジングの先端（前面壁部）をセット製品のパネルの内面に弾接させることができる。そのため、コネクタプラグが挿入された際に、ハウジング内の接点部とコネクタプラグの電極との接触位置の精度を維持することが可能となる。また、配線基板との間の接続ケーブルが必要ないため、コネクタジャック自体の取付け工程における作業性を改善することができる。
【００１７】
また、上記の構成において、前記接点部材は、前記配線基板の面に対して垂直方向に撓むように構成されている、という特徴を有する。
【００１８】
このように構成されたコネクタジャック実装構造は、コネクタジャックの端子部と配線基板の接点部材とを確実に接触させることができる。
【００１９】
また、上記の構成において、前記枠体に前記弾性部材が一体化されている、という特徴を有する。
【００２０】
このように構成されたコネクタジャック実装構造は、ハウジングを精度良くガイドすることができる。
【００２１】
また、上記の構成において、前記ハウジングは、複数の前記接点部を設けた下側ハウジングと、前記下側ハウジングを覆い内部に前記コネクタプラグを収納する収納部を前記下側ハウジングと共に構成する上側ハウジングと、を有し、前記前面壁部を前記下側ハウジングに設けた、という特徴を有する。
【００２２】
このように構成されたコネクタジャック実装構造は、コネクタジャックのハウジングの先端（前面壁部）とコネクタプラグの電極に接触する複数の接点部の位置精度を高めることができる。そのため、コネクタプラグが挿入された際に、ハウジング内の接点部とコネクタプラグの電極との接触位置の精度を、より高めることができる。
【発明の効果】
【００２３】
本発明のコネクタジャック及びコネクタジャック実装構造は、弾性部材によってハウジングが軸線方向に移動可能にガイドされるので、ハウジングの先端（前面壁部）をセット製品のパネルの内面に弾接させることができる。そのため、コネクタプラグが挿入された際に、ハウジング内の接点部とコネクタプラグの電極との接触位置の精度を維持することが可能となる。また、配線基板との間の接続ケーブルが必要ないため、コネクタジャック自体の取付け工程における作業性を改善することができる。
【図面の簡単な説明】
【００２４】
【図１】本発明の実施形態におけるコネクタジャックの分解斜視図である。
【図２】コネクタジャックの手前側からの斜視図である。
【図３】コネクタジャックの奥側からの斜視図である。
【図４】コネクタジャックの平面図である。
【図５】コネクタジャックの右側面図である。
【図６】コネクタジャックの下側ハウジング内の内部構造を示す斜視図である。
【図７】コネクタジャックの下側ハウジング内の内部構造を示す平面図である。
【図８】コネクタジャック実装構造の斜視図である。
【図９】コネクタジャックの配線基板への取付け構造を示す右側面図である。
【図１０】配線基板の下ケースへの取付け構造を示す斜視図である。
【図１１】配線基板の接点部材とハウジングの端子部との関係を示す斜視図である。
【図１２】コネクタジャックと上ケース及び下ケースとの関係を示す模式図である。
【図１３】従来例に係る防水型コネクタの構成を示す分解斜視図である。
【発明を実施するための形態】
【００２５】
［実施形態］
以下、本発明のコネクタジャック１００、及びコネクタジャック実装構造２００の実施形態について図面を参照しながら説明する。コネクタジャック１００は、例えば、スマートフォン等の小型の携帯機器等に実装されるオーディオ用のコネクタジャックとして用いられる。尚、本発明のコネクタジャック１００の用途及びコネクタジャック実装構造２００の用途については、これに限定されるものではなく適宜変更が可能である。また、本明細書では、特に断りの無い限り、各図面のＸ１側を右側、Ｘ２側を左側、Ｙ１側を奥側、Ｙ２側を手前側、Ｚ１側を上側、Ｚ２側を下側として説明する。
【００２６】
最初に、図１乃至図７を参照して、コネクタジャック１００の構成について説明する。図１は、コネクタジャック１００の各構成要素を示す分解斜視図であり、図２は、コネクタジャック１００の手前側で右側且つ上側から見た斜視図であり、図３は、コネクタジャック１００の奥側で右側且つ上側から見た斜視図である。図４は、コネクタジャック１００の上側から見た平面図であり、図５は、コネクタジャック１００の右側面図である。また、図６は、コネクタジャック１００の下側ハウジング１１内の内部構造を示す斜視図であり、図７は、下側ハウジング１１内の内部構造を示す平面図である。
【００２７】
コネクタジャック１００は、図１に示すように、下側ハウジング１１及び上側ハウジング１３から成るハウジング１０と、下側枠体２１及び上側枠体２３から成る枠体２０と、複数の端子部材１５と、プラグ支持部材１７と、によって構成されている。コネクタジャック１００は、図２及び図３に示すように、略直方体形状をしている。
【００２８】
ハウジング１０を構成する下側ハウジング１１及び上側ハウジング１３は、合成樹脂で形成されている。図３及び図４及び図６に示すように、下側ハウジング１１は、プラグガイド部１１ａ、端子支持部１１ｂ、前面壁部１１ｃ、後面壁部１１ｄ、側面壁部１１ｅ、及び前面壁部１１ｃ間の手前側の端部に形成した切欠き形状部１１ｆによって形成されており、図６に示すように、上方が開口した略直方体形状となっている。図２に示すように、上側ハウジング１３は、下側ハウジング１１を覆うように取り付けられ、下側ハウジング１１と共に、内部にコネクタプラグを収納する収納部１９を構成している。
【００２９】
また、図３及び図４に示すように、上側ハウジング１３は、上面部１３ｂと前記切欠き形状部１１ｆに下端がはまり込む前面部１３ｃとによって形成されている。ハウジング１０は、下側ハウジング１１と上側ハウジング１３とが、接着剤、レーザ溶着、超音波溶着等で接合されて構成される。
【００３０】
図２乃至図５に示すように、上側ハウジング１３の前面部１３ｃの中央部には、コネクタプラグが挿入される挿入穴１３ａが形成されていると共に、前面部１３ｃは、その上側が側面視で曲線状となっている。また、上側ハウジング１３の上面部１３ｂは、その左右の部分に対してその中央部が上方向にわずかに突出した突出部１３ｂ１を有する。尚、図５に示すように、下側ハウジング１１の前面壁部１１ｃのＹ１−Ｙ２方向の位置は、上側ハウジング１３の前面部１３ｃのＹ１−Ｙ２方向の最も左側の位置よりも、Ｙ２方向にわずかに突出している。
【００３１】
下側ハウジング１１のプラグガイド部１１ａは、図４、図６、及び図７に示すように、挿入穴１３ａに連続して設けられコネクタプラグがハウジング１０内に挿入された際に、コネクタプラグ本体を収納して支持するように形成されている。また、端子支持部１１ｂは、図４及び図７に示すように、下側ハウジング１１の右側及び左側の２つの側面壁部１１ｅから右方向又は左方向に突き出すように形成されている。端子支持部１１ｂの上面には、それぞれ複数の端子部１５ａが形成されている。複数の端子部１５ａは、ハウジング１０の外側（上方向）に露出した接触面１５ｂを有していて、コネクタジャック１００が配線基板に取り付けられた時、接触面１５ｂに、配線基板の接点部材が摺動するように設けられている。
【００３２】
端子部１５ａは、端子部材１５の一部として形成されている。端子部材１５は導電性の金属で形成され、例えば、燐青銅を使用することができ、ハウジング１０の内外を貫通するように取り付けられている。端子部材１５の貫通部分は、下側ハウジング１１の合成樹脂と密着していると共に水密にシールされており、例えば、端子部材１５をインサート成形によって下側ハウジング１１に一体化させることができる。
【００３３】
複数の端子部材１５はそれぞれ、図１に示すように、その一端が上述した端子部１５ａとなっていると共に、その他端がコネクタプラグの複数の電極それぞれに接触する接点部１５ｃとなっている。言い換えれば、接点部１５ｃと、接点部１５ｃそれぞれに導通した端子部１５ａとが、一体となって個々の端子部材１５を形成している。
【００３４】
複数の接点部１５ｃは、図６及び図７に示すように、それぞれ下側ハウジング１１の内側方向に突き出すように取り付けられており、コネクタプラグの電極と接触するようにその取り付け位置が設定されている。即ち、ハウジング１０には、コネクタプラグの複数の電極それぞれに対応する複数の接点部１５ｃが軸線方向Ｄ１に設けられている。また、複数の接点部１５ｃの、コネクタプラグの電極と接触する位置は、図６及び図７に示す前面壁部１１ｃのＹ１−Ｙ２方向における位置を基準にして設定される。
【００３５】
接点部１５ｃを設けている下側ハウジング１１に取り付け位置の基準を設けているので、基準に対する接点部１５ｃの位置精度を高めることができる。尚、実施形態のコネクタジャック１００に挿入されるコネクタプラグの図示は省略するが、コネクタプラグは先端近傍にくびれ形状をもった略円筒形状で形成されている。そしてコネクタプラグの５極の電極は軸線方向に沿って離間して配置され、個々の電極は円周方向に沿って帯状に形成されている。
【００３６】
本実施形態のコネクタジャック１００では、複数の接点部１５ｃ及び端子部１５ａが、５極の電極を有するコネクタプラグにそれぞれ接触できるように構成されている。更には挿入状態を検出する検出手段が設けられている。そのため、下側ハウジング１１には、図７に示すように、６片の端子部材１５が取り付けられており、そのうち、奥側の左右に位置する２片の端子部材１５は、共にコネクタプラグの最も先端側の電極に対応するようになっている。尚、奥側の右側に位置する１片の端子部材１５には接点部１５ｃが形成されているが、奥側の左側に位置する１片の端子部材１５には、接点部１５ｃが形成されていない。
【００３７】
また、コネクタジャック１００には、金属で形成されたプラグ支持部材１７が取り付けられている。プラグ支持部材１７は、コネクタプラグの最も先端側の電極に接して、コネクタジャック１００に挿入されたコネクタプラグを支持するように形成されている。また、プラグ支持部材１７は、上述した下側ハウジング１１の奥側に位置する左右の２片の端子部材１５のうちの左側の端子部材１５に接触している。
【００３８】
即ち、コネクタプラグの最も先端側の電極に対しては奥側の右側に位置する接点部１５ｃ及び、プラグ支持部材１７が接し、プラグ支持部材１７は奥側の左側の端子部材１５に接触しているので奥側の左右２個の端子部材１５から出力を得ることができ、またプラグ支持部材１７はコネクタプラグのくびれ部分に接触してコネクタプラグを保持する機能も有する。そしてコネクタプラグの先端から２番目の電極は、左側の中間の接点部１５ｃ、３番目の電極は右側の中間の接点部１５ｃ、というように順番に沿ってそれぞれのコネクタプラグの電極とコネクタジャックの接点部１５ｃとが接触するようにしている。
【００３９】
枠体２０を構成する下側枠体２１及び上側枠体２３は、金属で形成されている。下側枠体２１は、図１に示すように、平坦部２１ｂと複数の取付け部２１ａとによって形成されている。取付け部２１ａは、平坦部２１ｂから上方に向けて形成されている。それぞれの取付け部２１ａは、コネクタジャック１００が取り付けられるセット製品の配線基板に設けられた取付け穴に挿入され、配線基板に半田で固定される。従って、下側枠体２１は配線基板に動かないように固定される。
【００４０】
上側枠体２３には、枠体上面部２３ｂが形成されており、枠体上面部２３ｂには、図１に示すように、複数の脚部２３ｃが、上側枠体２３の枠体上面部２３ｂの最も手前側と奥側それぞれの右側と左側の位置に側板２３ｅから設けられている。そして、図３及び図４に示すように、それぞれの脚部２３ｃの先端部分が下側枠体２１の取付け部２１ａの根本部分に取り付けられ、接着剤又はレーザ溶接等で接合されており、下側枠体２１と上側枠体２３とが固定されて枠体２０を形成している。
【００４１】
図５に示すように、下側枠体２１の平坦部２１ｂの上には、前述したハウジング１０が載置されてはいるが固定されていない。また、ハウジング１０の両方の側面壁部１１ｅ間の幅は上側枠体２３の両方の側板２３ｅ間の内寸より若干大きく形成され、ハウジング１０の上面部１３ｂの中央の突出部を除いた高さは枠体２０の平坦部２１ｂと枠体上面部２３ｂ間の内寸より若干大きく形成されている。従って、ハウジング１０は枠体２０内で移動可能である。尚、ハウジング１０が、枠体２０の手前側から抜ける事を防止する為に、側面壁部１１ｅには突起１１ｅ１がもうけられていて、枠体２０の切り欠き形状部２３ｆの手前側の側面２３ｆ１に接する事で防止される。
【００４２】
また、上側枠体２３の枠体上面部２３ｂの最も奥側のほぼ中央の位置には、図３及び図５に示すように、弾性部材２３ａが所定の幅を有して、枠体上面部２３ｂから下方向に延伸して形成されている。本実施形態では、弾性部材２３ａと枠体２０は１つの金属材を折り曲げ一体化して設けられているが、弾性部材２３ａと枠体２０とをそれぞれ別体で形成し、その後一体化しても良い。
【００４３】
弾性部材２３ａは、図５に示すように、その先端部が湾曲するように形成されており、下側ハウジング１１の後面壁部１１ｄに弾性を有して接している。即ち、弾性部材２３ａは、ハウジング１０をコネクタプラグが挿入される方向（奥側から手前側）に付勢するように設けられている。また、前述したように、ハウジング１０は枠体２０内で移動可能である。従って、枠体２０は、ハウジング１０を軸線方向Ｄ１に移動可能にガイドすることができる。
【００４４】
図３及び図４に示すように、上側枠体２３の枠体上面部２３ｂには、上面開口部２３ｄが形成されている。更に、上側ハウジング１３の上面部１３ｂは、前述したように、その中央部に、わずかながら突出した突起部１１ｅ１が設けられており、突起部１１ｅ１が、上側枠体２３の上面開口部２３ｄ内に、所定の間隔を有して収まるようになっている。そのため、ハウジング１０が弾性部材２３ａによって付勢されながら枠体２０内を軸線方向Ｄ１に移動する際に、上側ハウジング１３の上面部１３ｂが、上側枠体２３の上面開口部２３ｄ内を移動可能となると共に、実際の製品セットへの取り付けにおいてハウジング１０の移動が、枠体上面部２３ｂの上面開口部２３ｄ側（Ｙ２側）の側面によって規制されない様に寸法が設定されている。
【００４５】
次に、図８乃至図１１を参照して、コネクタジャック実装構造２００について説明する。図８は、コネクタジャック実装構造２００の斜視図であり、図９は、コネクタジャック１００の配線基板３０への取付け構造を示す側面図である。また、図１０は、セット製品６０の下ケース５０への配線基板３０の取付け構造を示す斜視図であり、図１１は、配線基板３０の接点部材３１とコネクタジャック１００のハウジング１０に設けられた端子部１５ａとの関係を示す斜視図である。尚、図８においては、上ケース４０が透明であると仮定し、図１１においては、配線基板３０が透明であると仮定して示している。
【００４６】
図８に示すように、コネクタジャック１００が実装されたセット製品６０は、その筐体が上ケース４０と下ケース５０とで形成されている。下ケース５０には、配線基板３０が取り付けられ、配線基板３０上には、ハウジング１０及びハウジング１０を保持する枠体２０を有したコネクタジャック１００が取り付けられている。また、上ケース４０は、ハウジング１０の挿入側の前面に配置されたパネル４１を有している。尚、コネクタジャック１００の詳細な構成については、既に述べているので、その説明を省略する。
【００４７】
コネクタジャック１００は、図１０に示すように、配線基板３０に設けられた平面視で枠体２０とほぼ同一形状をした切欠き部３０ｂ内に、その本体が配線基板３０の下側から上方向に向けて挿入される。それと共に、図９及び図１０に示すように、コネクタジャック１００の複数の取付け部２１ａが、配線基板３０に設けられた取付け穴３０ａに挿入され、スナップフィットで配線基板３０に取り付けられる。なお、複数の取付け部２１ａは、その後の実装工程において、配線基板３０に半田付けによる固定はされないが、配線基板３０に取り付けパターン（図示せず）を設けて半田付けしても良い。スナップフィットで取り付けた結果、コネクタジャック１００は、その上部が配線基板３０の上方に突出した状態で、配線基板３０に保持される。
【００４８】
コネクタジャック１００が実装された配線基板３０は、図１０に示すように、下ケース５０に設けられている複数の基板取付け部５１に取り付けられ、固定される。コネクタジャック１００が実装された配線基板３０が下ケース５０に固定されることによって、図８に示すように、コネクタプラグ９０がパネル４１のプラグ挿入穴４１ｃを介してコネクタジャック１００に挿入可能となる。
【００４９】
配線基板３０には、図１１に示すように、コネクタジャック１００の下側ハウジング１１の端子支持部１１ｂに設けられた複数の端子部１５ａの接触面１５ｂそれぞれに摺動する複数の接点部材３１が実装されている。
【００５０】
接点部材３１は、導電性の金属で形成されており、平坦な上面３１ａを有し、その上面が配線基板３０の下面の配線パターンに半田付けで取り付けられている。接点部材３１は、平坦な上面３１ａから下方へ金属部材が伸びて平面視螺旋状に形成されている弾性腕部３１ｂと、弾性腕部３１ｂの下端に設けた突起部３１ｃと、を有している。接点部材３１は、弾性腕部３１ｂが平面視螺旋状に下方へ延びて形成されているため、配線基板３０の面に対して垂直方向に撓み、上述した突起部３１ｃがコネクタジャック１００の端子部１５ａの接触面１５ｂに、弾性を有して摺動する。
【００５１】
その結果、コネクタジャック１００の接点部１５ｃと配線基板３０に実装した電子回路（図示せず）とが接続される。なお、接点部材３１の弾性腕部３１ａの外側には、突起部３１ｃが平坦な上面３１ａに必要以上に近接することを防止するストッパー部３１ａが平坦な上面３１ａから突出して設けられている。その為、コネクタジャック１００を配線基板３０に取り付ける際に、必要以上に押し込まれても、端子支持部１１ｂが突起部３１ｃと一体の弾性腕部３１ａを塑性変形させることはない。
【００５２】
次に、図８及び図１２を参照して、コネクタジャック実装構造２００の、組み立て時におけるコネクタジャック１００の動作について説明する。図１２は、コネクタジャック１００と上ケース４０及び下ケース５０との関係を示す模式図であり、図１２（ａ）が、上ケース４０の下ケース５０への取付け前の状態を示し、図１２（ｂ）が、上ケース４０が下ケース５０に取付けられた状態を示している。
【００５３】
前述したように、コネクタジャック１００が実装された配線基板３０は、下ケース５０に固定されており、コネクタジャック１００の枠体２０は、配線基板３０に固定されている。また、枠体２０に弾性部材２３ａが一体化されていると共に、図１２（ａ）に示すように、弾性部材２３ａが、ハウジング１０をコネクタプラグ９０が挿入される側（奥側から手前側）に、付勢している。従って、枠体２０に対してハウジング１０が手前側方向に位置した状態、すなわち弾性部材２３ａによる付勢力Ｆ１が最も小さくなる位置で実装される。なお、この際に、枠体２０の切り欠き形状部２３ｆの手前側の側面２３ｆ１と突起部１１ｅ１とには多少のガタを持たせて付勢力Ｆ１はゼロとなっているが、弾性部材２３ａの弾性力が及ぶ範囲を広くしてハウジング１０が手前方向に位置している際に与圧がハウジング１０に加わるようにしても良い。
【００５４】
コネクタジャック１００が実装された配線基板３０が固定されている下ケース５０に上ケース４０を取付ける時には、上ケース４０を下ケース５０の位置決め部（図示省略）に位置決めして組み付けを行いネジ等で一体化する。組み付け時には図１２（ａ）に示すように、上ケース４０のパネル４１の内面４１ａの先端がコネクタジャック１００のハウジング１０のＹ２側の先端に接しながら、上ケース４０を下方へ押し下げる。ハウジング１０のＹ２側の先端は、上側ハウジング１３の前面部１３ｃと前面部１３ｃよりわずかにＹ２側にある下側ハウジング１１の前面壁部１１ｃによって形成されており、パネル４１は、上側ハウジング１３の前面部１３ｃに接した後、下側ハウジング１１の前面壁部１１ｃに接しながら、押し下げられる。
【００５５】
パネル４１がハウジング１０の先端に接しながら下方向へ押し下げられると、コネクタジャック１００のハウジング１０は、枠体２０によって軸線方向Ｄ１にガイドされながら、弾性部材２３ａによるハウジング１０への付勢力Ｆ１に抗して、枠体２０内を奥方向に移動する。
【００５６】
その結果、図１２（ｂ）に示すように、上ケース４０のパネル４１が下ケース５０に組み込まれると共に、ハウジング１０の前面壁部１１ｃがパネル４１の内面４１ａに弾接した状態で、ハウジング１０が下ケース５０に保持される。また、コネクタジャック１００にコネクタプラグ９０が挿入された後には、パネル４１の外面４１ｂには図８に示すコネクタプラグ９０のストッパー面９０ａが接する。
【００５７】
このように、コネクタジャック１００のハウジング１０がパネル４１の内面４１ａに弾接した状態で配線基板３０に保持されているので、コネクタジャック１００にコネクタプラグ９０が勢いよく挿入された時に、ハウジング１０が多少奥側に移動するような設計とすることが可能であり、このようにした場合にはコネクタプラグ９０の挿入による急激なストレスが配線基板３０に掛からない。
【００５８】
また、ハウジング１０の前面壁部１１ｃがパネル４１の内面４１ａに常に弾接しているので、パネル４１の内面４１ａ，外面４１ｂがコネクタジャック１００及び差し込まれるコネクタプラグ９０の軸線方向のそれぞれの取り付けの基準面となる。内面４１ａ，外面４１ｂの軸線方向の精度はパネル４１の厚さであり精度は容易に高められる。この為、多くの電極を有するコネクタプラグ９０が差し込まれる場合であっても、コネクタジャック１００の接点部１５ｃとコネクタプラグ９０の電極との接触位置を、精度良く維持することができる。
【００５９】
尚、配線基板３０へのコネクタジャック１００の取り付け位置のバラつき、配線基板３０の下ケース５０への取り付けのバラつき、上ケース４０の下ケース５０への取り付けのバラつきがあったとしても、コネクタプラグ９０がコネクタジャック１００への差込が完了した状態においては常にハウジング１０の前面壁部１１ｃがパネル４１の内面４１ａに弾接するように、配線基板３０へのコネクタジャック１００の取り付け位置、ハウジング１０の移動可能な距離、弾性部材２３ａのバネ特性が設定されている。
【００６０】
以下、本実施形態としたことによる効果について説明する。
【００６１】
コネクタジャック１００は、弾性部材２３ａによってハウジング１０が軸線方向Ｄ１に移動可能にガイドされるので、ハウジング１０の先端（前面壁部１１ｃ）をセット製品のパネルの内面に弾接させることができる。そのため、コネクタプラグが挿入された際に、ハウジング１０内の接点部１５ｃとコネクタプラグの電極との接触位置の精度を維持することが可能となる。また、配線基板との間の接続ケーブルが必要ないため、コネクタジャック１００自体の取付け工程における作業性を改善することができる。
【００６２】
また、コネクタジャック１００は、枠体２０に弾性部材２３ａが一体化されているので、ハウジング１０を精度良くガイドすることができる。
【００６３】
また、コネクタジャック実装構造２００は、弾性部材２３ａによってハウジング１０が軸線方向Ｄ１に移動可能にガイドされるので、ハウジング１０の先端（前面壁部１１ｃ）をセット製品６０のパネル４１の内面４１ａに弾接させることができる。そのため、コネクタプラグ９０が挿入された際に、ハウジング１０内の接点部１５ｃとコネクタプラグ９０の電極との接触位置の精度を維持することが可能となる。また、配線基板３０との間の接続ケーブルが必要ないため、コネクタジャック１００自体の取付け工程における作業性を改善することができる。
【００６４】
また、コネクタジャック実装構造２００は、接点部材３１が配線基板３０の面に対して垂直方向に撓むように構成されているので、コネクタジャック１００の端子部１５ａと配線基板３０の接点部材３１とを確実に接触させることができる。
【００６５】
また、コネクタジャック実装構造２００は、枠体２０に弾性部材２３ａが一体化されているので、ハウジング１０を精度良くガイドすることができる。
【００６６】
また、コネクタジャック実装構造２００は、コネクタジャック１００のハウジング１０の先端（前面壁部１１ｃ）とコネクタプラグ９０の電極に接触する複数の接点部１５ｃの位置精度を高めることができる。そのため、コネクタプラグ９０が挿入された際に、ハウジング１０内の接点部１５ａとコネクタプラグ１００の電極との接触位置の精度を、より高めることができる。
【００６７】
以上説明したように、本発明のコネクタジャック及びコネクタジャック実装構造は、弾性部材によってハウジングが軸線方向に移動可能にガイドされるので、ハウジングの先端（前面壁部）をセット製品のパネルの内面に弾接させることができる。そのため、コネクタプラグが挿入された際に、ハウジング内の接点部とコネクタプラグの電極との接触位置の精度を維持することが可能となる。また、配線基板との間の接続ケーブルが必要ないため、コネクタジャック自体の取付け工程における作業性を改善することができる。
【００６８】
本発明は上記の実施形態に限定されるものではなく、例えば４極のプラグコネクタなど要旨を逸脱しない範囲で種々変更して実施することが可能である。
【符号の説明】
【００６９】
１０      ハウジング  
１１      下側ハウジング
１１ａ    プラグガイド部
１１ｂ    端子支持部
１１ｃ    前面壁部
１１ｄ    後面壁部
１１ｅ    側面壁部
１１ｅ１  突起部
１１ｆ    切り欠き形状部
１３      上側ハウジング
１３ａ    挿入穴
１３ｂ    上面部
１３ｃ    前面部
１５      端子部材
１５ａ    端子部
１５ｂ    接触面
１５ｃ    接点部
１７      プラグ支持部材
１９      収納部
２０      枠体
２１      下側枠体
２１ａ    取付け部
２１ｂ    平坦部
２３      上側枠体
２３ａ    弾性部材
２３ｂ    枠体上面部
２３ｃ    脚部
２３ｄ    上面開口部
２３ｆ    切り欠き形状部
３０      配線基板 
３０ａ    取付け穴
３０ｂ    切欠き部
３１      接点部材
４０      上ケース
４１      パネル
４１ａ    内面
４１ｂ    外面
４１ｃ    プラグ挿入穴
５０      下ケース
５１      基板取付け部
６０      セット製品
９０      コネクタプラグ
９０ａ    ストッパー面
１００    コネクタジャック
２００    コネクタジャック実装構造
Ｄ１      軸線方向
Ｆ１      付勢力
【図１】
2017091896.tif 000003
【図２】
2017091896.tif 000004
【図３】
2017091896.tif 000005
【図４】
2017091896.tif 000006
【図５】
2017091896.tif 000007
【図６】
2017091896.tif 000008
【図７】
2017091896.tif 000009
【図８】
2017091896.tif 000010
【図９】
2017091896.tif 000011
【図１０】
2017091896.tif 000012
【図１１】
2017091896.tif 000013
【図１２】
2017091896.tif 000014
【図１３】
2017091896.tif 000015